(57)【要約】【課題】情報処理装置に設けられた周辺機器に対するインタフェースを介して情報処理装置の情報が漏洩するのを防ぐこと。【解決手段】アダプタ装置は、情報処理装置に設けられたインタフェース部に接続される第１の端子と、情報処理装置に設けられた錠前を開錠する鍵のパターンが表面に形成された鍵部と、情報処理装置の周辺機器に接続される第２の端子と、を備える。【選択図】図１
2014132387.tif 000002
【特許請求の範囲】
【請求項１】
情報処理装置に設けられたインタフェース部に接続される第１の端子と、
前記情報処理装置に設けられた錠前を開錠する鍵のパターンが表面に形成された鍵部と、
前記情報処理装置の周辺機器に接続される第２の端子と、を備える、アダプタ装置。
【請求項２】
前記錠前は、前記情報処理装置において前記インタフェース部の手前に設けられ、
前記鍵部によって前記錠前が開錠された場合に、前記アダプタ装置を前記情報処理装置に押し込むことにより、前記第１の端子と前記インタフェース部とが接続される、請求項１に記載のアダプタ装置。
【請求項３】
前記インタフェース部は、前記第１の端子が挿入された場合に前記第１の端子を収容する収容部を有し、
前記収容部の挿入方向に垂直な断面の形状は、長辺と短辺とから成る方形であり、
前記第１の端子の先端部は、挿入方向に垂直な面における断面形状が長辺と短辺とから成る方形である、請求項２に記載のアダプタ装置。
【請求項４】
前記錠前は、前記鍵部を挿入して所定の角度だけ回転させることで開錠されるシリンダー錠であって、
前記鍵部を前記錠前に挿入して前記所定の角度だけ回転させた場合に、前記第１の端子の先端部の長辺の方向と前記収用部の長辺の方向とが平行となる、請求項３に記載のアダプタ装置。
【請求項５】
第１の端子と鍵のパターンが表面に形成された鍵部と周辺機器に接続される第２の端子とを有するアダプタ装置の該第１の端子に接続されるインタフェース部と、
前記鍵によって開錠される錠前と、を備える、情報処理装置。
【請求項６】
前記錠前は、前記インタフェース部の手前に設けられ、
前記鍵部によって前記錠前が開錠された場合に、前記アダプタ装置を前記情報処理装置に押し込むことにより、前記第１の端子と前記インタフェース部とが接続される、請求項５に記載の情報処理装置。
【請求項７】
前記インタフェース部は、前記第１の端子が挿入された場合に前記第１の端子を収容する収容部を有し、
前記収容部の挿入方向に垂直な断面の形状は、長辺と短辺とから成る方形であり、
前記第１の端子の先端部は、挿入方向に垂直な面における断面形状が長辺と短辺とから成る方形である、請求項６に記載の情報処理装置。
【請求項８】
前記錠前は、前記鍵部を挿入して所定の角度だけ回転させることで開錠されるシリンダー錠であって、
前記鍵部を前記錠前に挿入して前記所定の角度だけ回転させた場合に、前記第１の端子の先端部の長辺の方向と前記収用部の長辺の方向とが平行となる、請求項７に記載の情報処理装置。
【請求項９】
第１の端子と、
鍵のパターンが表面に形成された鍵部と、
周辺機器に接続される第２の端子と、を有するアダプタ装置と、
前記第１の端子に接続されるインタフェース部と、
前記鍵によって開錠される錠前と、を有する情報処理装置と、を備える、情報処理システム。
【請求項１０】
前記錠前は、前記情報処理装置において前記インタフェース部の手前に設けられ、
前記鍵部によって前記錠前が開錠された場合に、前記アダプタ装置を前記情報処理装置に押し込むことにより、前記第１の端子と前記インタフェース部とが接続される、請求項９に記載の情報処理システム。
【発明の詳細な説明】
【技術分野】
【０００１】
本発明は、アダプタ装置、情報処理装置および情報処理システムに関し、特に情報処理装置と周辺機器とを接続するアダプタ装置、アダプタ装置を介して周辺機器に接続される情報処理装置、および、アダプタ装置と情報処理装置を備えた情報処理システムに関する。
【背景技術】
【０００２】
パソコン、サーバ等の情報処理装置には、ＵＳＢ（Universal Serial Bus）ポート等の汎用のインタフェースが実装されており、これらのインタフェースを介して、ディスプレイ、キーボード、プリンタ、ＵＳＢメモリ等の周辺機器を接続することができる。
【０００３】
しかし、市販のＵＳＢメモリ等を使用してパソコンやサーバから情報を安易に持ち出すことができるため、インタフェースの使用を制限して、情報漏えいに対するセキュリティ機能を向上することが好ましい。
【０００４】
特許文献１には、利用者の認証データを格納したメモリを備えた鍵を、鍵シリンダを備えたパソコン等の電子機器に差し込んで、電子機器がメモリから認証データを読み出すことにより、利用者を認証し、電子機器の電源投入を行う技術が記載されている。
【先行技術文献】
【特許文献】
【０００５】
【特許文献１】特開２００３−０９９１４７号公報
【発明の概要】
【発明が解決しようとする課題】
【０００６】
上記の特許文献の全開示内容は、本書に引用をもって繰り込み記載されているものとする。以下の分析は、本発明者によってなされたものである。
【０００７】
パソコン、サーバ機器等の情報処理装置は、ＵＳＢポート等のインタフェースに対して、周辺機器を自由に接続できる構造を有している。したがって、情報を記憶する機能を有するＵＳＢメモリ等の周辺機器を接続することで、パソコンやサーバ機器に蓄積された情報が流出しやすいという問題がある。
【０００８】
特許文献１に記載された技術によると、鍵に格納された認証データに基づいて利用者を認証して電源投入の可否を判定することで、情報処理装置の利用者を正当な利用者に制限することが可能となる。しかしながら、一旦、電源が投入され、情報処理装置が利用可能な状態となると、情報処理装置に設けられたインタフェースには、周辺機器を自由に接続できるため、インタフェースを介した情報漏洩のリスクは軽減されない。
【０００９】
そこで、情報処理装置に設けられた周辺機器に対するインタフェースを介して情報処理装置の情報が漏洩するのを防ぐことが望ましい。本発明の目的は、かかる要望に寄与するアダプタ装置、情報処理装置および情報処理システムを提供することにある。
【課題を解決するための手段】
【００１０】
本発明の第１の視点に係るアダプタ装置は、
情報処理装置に設けられたインタフェース部に接続される第１の端子と、
前記情報処理装置に設けられた錠前を開錠する鍵のパターンが表面に形成された鍵部と、
前記情報処理装置の周辺機器に接続される第２の端子と、を備える。
【００１１】
本発明の第２の視点に係る情報処理装置は、
第１の端子と鍵のパターンが表面に形成された鍵部と周辺機器に接続される第２の端子とを有するアダプタ装置の該第１の端子に接続されるインタフェース部と、
前記鍵によって開錠される錠前と、を備える。
【００１２】
本発明の第３の視点に係る情報処理システムは、
第１の端子と、
鍵のパターンが表面に形成された鍵部と、
周辺機器に接続される第２の端子と、を有するアダプタ装置と、
前記第１の端子に接続されるインタフェース部と、
前記鍵によって開錠される錠前と、を有する情報処理装置と、を備える。
【発明の効果】
【００１３】
本発明に係るアダプタ装置、情報処理装置および情報処理システムによると、情報処理装置に設けられた周辺機器に対するインタフェースを介して情報処理装置の情報が漏洩することを防ぐことができる。
【図面の簡単な説明】
【００１４】
【図１】一実施形態に係るアダプタ装置および情報処理装置の構成を一例として示す図である。
【図２】第１の実施形態に係るアダプタ装置、および、アダプタ装置を介して周辺機器に接続されるパソコンの構成を示す図である。
【図３】第１の実施形態に係るアダプタ装置をパソコンに挿入した状態を示す図である。
【図４】第１の実施形態に係るアダプタ装置をパソコンに挿入してシリンダー錠を開錠した状態を示す図である。
【図５】第１の実施形態に係るアダプタ装置にキーボードを接続する様子を示す図である。
【図６】第１の実施形態に係るアダプタ装置にキーボードを接続した状態を示す図である。
【図７】第１の実施形態に係るアダプタ装置をシリンダー錠に挿入する様子を示す図である。
【図８】第１の実施形態に係るアダプタ装置をシリンダー錠に挿入した状態を示す図である。
【図９】第１の実施形態に係るアダプタ装置をシリンダー錠に挿入して回転することでシリンダー錠を開錠した状態を示す図である。
【図１０】第１の実施形態に係るアダプタ装置をシリンダー錠に挿入して開錠した後に、さらに挿入した状態を示す図である。
【図１１】第１の実施形態に係るアダプタ装置により情報処理装置のインタフェース部の使用が制限されることを示すフロー図である。
【発明を実施するための形態】
【００１５】
はじめに、一実施形態の概要について説明する。なお、この概要に付記する図面参照符号は、専ら理解を助けるための例示であり、本発明を図示の態様に限定することを意図するものではない。
【００１６】
図１は、一実施形態に係るアダプタ装置（１００）の構成を示す図である。図１を参照すると、アダプタ装置（１００）は、情報処理装置（２００）に設けられたインタフェース部（２１０）に接続される第１の端子（１２０）と、情報処理装置（２００）に設けられた錠前（２２０）を開錠する鍵のパターンが表面に形成された鍵部（１３０）と、情報処理装置（２００）の周辺機器（６００）に接続される第２の端子（１１０）とを備える。第２の端子（１１０）は、例えば、汎用インタフェース（５００）を経由して、周辺機器（６００）に接続される。
【００１７】
錠前（２２０）は、情報処理装置（２００）においてインタフェース部（２１０）の手前に設けられていてもよい。また、鍵部（１３０）によって錠前（２２０）が開錠された場合に、アダプタ装置（１００）を情報処理装置（２００）に押し込むことにより、第１の端子（１２０）とインタフェース部（２１０）とが接続されるようにしてもよい。
【００１８】
アダプタ装置（１００）によると、情報処理装置（２００）に設けられた周辺機器に対するインタフェース部（２１０）を介して情報処理装置（２００）の情報が漏洩することを防ぐことが可能となる。なぜなら、情報処理装置（２００）のインタフェース部（２１０）の前段に設けられた錠前（２２０）を、アダプタ装置（１００）の鍵部（１３０）によって開錠しない限り、周辺機器（６００）によるインタフェース部（２１０）の利用が不可能となるからである。
【００１９】
また、インタフェース部（２１０）は、第１の端子（１２０）が挿入された場合に第１の端子（１２０）を収容する収容部（２１２）を有していてもよい。さらに、収容部（２１２）の挿入方向に垂直な断面の形状は、長辺と短辺とから成る方形であり、第１の端子（１２０）の先端部は、挿入方向に垂直な面における断面形状が長辺と短辺とから成る方形であってもよい。
【００２０】
また、錠前（２２０）は、鍵部（１３０）を挿入して所定の角度だけ回転させることで開錠されるシリンダー錠であってもよい。さらに、鍵部（１３０）を錠前（２２０）に挿入して所定の角度だけ回転させた場合に、第１の端子（１２０）の先端部の長辺の方向と収用部（２１２）の長辺の方向とが平行となるようにしてもよい。
【００２１】
錠前（２２０）および収容部（２１２）をこのように構成することで、錠前（２２０）を開錠しない限り、アダプタ装置（１００）の端子（１２０）を収容部（２１２）に挿入することが不可能となる。これにより、アダプタ装置（１００）を力ずくで押し込むことで、アダプタ装置（１００）がインタフェース部（２１０）に接続されることを防ぐことができる。
【００２２】
アダプタ装置（１００）によると、パソコン、サーバ等の情報処理装置（２００）に設けられたＵＳＢ（Universal Serial Bus）等のインタフェース部（２１０）の使用を制限することが可能となる。具体的には、インタフェース部（２１０）の手前に設けられた錠前（２２０）の形状と、アダプタ装置（１００）の鍵部（１３０）に形成された鍵のパターンとが一致したときに限り、アダプタ装置（１００）をインタフェース部（２１０）に接続することができ、周辺機器（６００）によるインタフェース部（２１０）の利用が可能となる。
【００２３】
なお、本発明において、下記の形態が可能である。
［形態１］
上記第１の視点に係るアダプタ装置のとおりである。
［形態２］
前記錠前は、前記情報処理装置において前記インタフェース部の手前に設けられ、
前記鍵部によって前記錠前が開錠された場合に、前記アダプタ装置を前記情報処理装置に押し込むことにより、前記第１の端子と前記インタフェース部とが接続されるようにしてもよい。
［形態３］
前記インタフェース部は、前記第１の端子が挿入された場合に前記第１の端子を収容する収容部を有し、
前記収容部の挿入方向に垂直な断面の形状は、長辺と短辺とから成る方形であり、
前記第１の端子の先端部は、挿入方向に垂直な面における断面形状が長辺と短辺とから成る方形であってもよい。
［形態４］
前記錠前は、前記鍵部を挿入して所定の角度だけ回転させることで開錠されるシリンダー錠であって、
前記鍵部を前記錠前に挿入して前記所定の角度だけ回転させた場合に、前記第１の端子の先端部の長辺の方向と前記収用部の長辺の方向とが平行となるようにしてもよい。
［形態５］
上記第２の視点に係る情報処理装置のとおりである。
［形態６］
前記情報処理装置において、
前記錠前は、前記インタフェース部の手前に設けられ、
前記鍵部によって前記錠前が開錠された場合に、前記アダプタ装置を前記情報処理装置に押し込むことにより、前記第１の端子と前記インタフェース部とが接続されるようにしてもよい。
［形態７］
前記情報処理装置において、
前記インタフェース部は、前記第１の端子が挿入された場合に前記第１の端子を収容する収容部を有し、
前記収容部の挿入方向に垂直な断面の形状は、長辺と短辺とから成る方形であり、
前記第１の端子の先端部は、挿入方向に垂直な面における断面形状が長辺と短辺とから成る方形であってもよい。
［形態８］
前記情報処理装置において、
前記錠前は、前記鍵部を挿入して所定の角度だけ回転させることで開錠されるシリンダー錠であって、
前記鍵部を前記錠前に挿入して前記所定の角度だけ回転させた場合に、前記第１の端子の先端部の長辺の方向と前記収用部の長辺の方向とが平行となるようにしてもよい。
［形態９］
上記第３の視点に係る情報処理システムのとおりである。
［形態１０］
前記情報処理システムにおいて、
前記錠前は、前記情報処理装置において前記インタフェース部の手前に設けられ、
前記鍵部によって前記錠前が開錠された場合に、前記アダプタ装置を前記情報処理装置に押し込むことにより、前記第１の端子と前記インタフェース部とが接続されるようにしてもよい。
［形態１１］
前記情報処理システムにおいて、
前記インタフェース部は、前記第１の端子が挿入された場合に前記第１の端子を収容する収容部を有し、  
前記収容部の挿入方向に垂直な断面の形状は、長辺と短辺とから成る方形であり、
前記第１の端子の先端部は、挿入方向に垂直な面における断面形状が長辺と短辺とから成る方形であってもよい。
［形態１２］
前記情報処理システムにおいて、
前記錠前は、前記鍵部を挿入して所定の角度だけ回転させることで開錠されるシリンダー錠であって、
前記鍵部を前記錠前に挿入して前記所定の角度だけ回転させた場合に、前記第１の端子の先端部の長辺の方向と、前記収用部の長辺の方向とが平行となるようにしてもよい。
【００２４】
（実施形態１）
第１の実施形態について、図面を参照して詳細に説明する。
【００２５】
本実施形態では、一例として、情報処理装置をパソコン（Personal Computer、ＰＣ）とし、インタフェース部がパソコンのＵＳＢ（Universal Serial Bus）ポートである場合について説明する。ただし、情報処理装置はパソコンに限定されず、サーバ等であってもよく、インタフェース部もＵＳＢポートに限定されない。また、情報処理装置は、スマートフォン、携帯ゲーム機、タブレット端末等であってもよい。なお、以下に例示するインタフェースの物理的な形状は例示に過ぎない。さらに、周辺機器も、図示した機器に限定されない。
【００２６】
図２は、本実施形態に係るアダプタ装置４００、および、アダプタ装置４００を介して周辺機器に接続されるパソコン３００の構成を示す図である。
【００２７】
図２を参照すると、パソコン３００は、シリンダー錠３２０を備え、シリンダー錠３２０の奥（後段）に、周辺機器に対するインタフェース部３１０（図２において非図示）を備えている。一方、アダプタ装置４００は、表面に鍵パターン４０１が形成されている。本実施形態では、一例として、パソコン３００に設けられた錠前がシリンダー錠３２０である場合について説明する。ただし、錠前は、シリンダー錠に限定されない。
【００２８】
図２を参照すると、パソコン３００の周辺機器として、マウス５１０、キーボード５２０、プリンタ５３０、外付けドライブ５４０、モニタ５５０、および、記憶装置５６０が例示されている。マウス５１０は、ＵＳＢポートに接続可能な汎用インタフェースＡ５０１を備える。同様に、キーボード５２０、プリンタ５３０、外付けドライブ５４０、モニタ５５０、および、記憶装置５６０は、それぞれ、ＵＳＢポートに接続可能な汎用インタフェースＢ５０２、汎用インタフェースＣ５０３、汎用インタフェースＤ５０４、汎用インタフェースＥ５０５、および、汎用インタフェースＦ５０６を備える。
【００２９】
パソコン３００は、外部機器に対するインタフェース部３１０を有する。なお、外部機器に対するインタフェースを有する情報処理装置であれば、パソコン３００以外のサーバ等であってもよい。
【００３０】
インタフェース部３１０は、パソコン３００に外部機器を接続するためのＵＳＢインタフェース等のパソコン内蔵のインタフェースである。
【００３１】
パソコン３００は、インタフェース部３１０の前段に、シリンダー錠３２０を備える。
【００３２】
アダプタ装置４００は、シリンダー錠３２０に接続される。アダプタ装置４００は、パソコン３００内蔵のインタフェース部３１０を汎用インタフェースの形状に変換するアダプタである。アダプタ装置４００は、一例として、インタフェース部３１０をＵＳＢインタフェースに変換する。
【００３３】
アダプタ装置４００は、所定の物理形状から成る鍵パターン４０１を有する。鍵パターン４０１の形状とシリンダー錠３２０の形状と組み合わせが一致した場合、アダプタ装置４００を所定の角度（例えば、９０度）回転することができる。
【００３４】
アダプタ装置４００を所定の角度（例えば、９０度）だけ回転した後、さらに押し込むことで、アダプタ装置４００とインタフェース部３１０は接続状態となり、インタフェース部３１０が使用可能となる。
【００３５】
マウス５１０は、パソコン３００に対する入力装置である。マウス５１０は、アダプタ装置４００を介して、パソコン３００のインタフェース部３１０と接続するための汎用インタフェースＡ５０１を有する。
【００３６】
キーボード５２０は、パソコン３００に対する文字入力装置である。キーボード５２０は、アダプタ装置４００を介して、パソコン３００のインタフェース部３１０と接続するための汎用インタフェースＢ５０２を有する。
【００３７】
プリンタ５３０は、パソコン３００に対する出力装置である。プリンタ５３０は、アダプタ装置４００を介して、パソコン３００のインタフェース部３１０と接続するための汎用インタフェースＣ５０３を有する。
【００３８】
外付けドライブ５４０は、パソコン３００の入出力装置であり、例えば、ＣＤ（Compact Disk）ドライブ、ＤＶＤ（Digital Versatile Disk）ドライブ等である。外付けドライブ５４０は、アダプタ装置４００を介して、パソコン３００のインタフェース部３１０と接続するための汎用インタフェースＤ５０４を有する。
【００３９】
モニタ５５０は、パソコン３００に対する表示装置である。モニタ５５０は、アダプタ装置４００を介して、パソコン３００のインタフェース部３１０と接続するための汎用インタフェースＥ５０５を有する。
【００４０】
記憶装置５６０は、ＵＳＢメモリ等の情報を記憶できる媒体である。記憶装置５６０は、アダプタ装置４００を介して、パソコン３００のインタフェース部３１０と接続するための汎用インタフェースＦ５０６を有する。
【００４１】
汎用インタフェースＡ５０１〜Ｆ５０６は、汎用インタフェースであり、パソコン３００と外部の周辺機器を接続するＵＳＢ等の汎用インタフェースである。
【００４２】
図３は、アダプタ装置４００をシリンダー錠３２０に挿入した状態を表している。この状態では、アダプタ装置４００は、インタフェース部３１０に接続されていないため、周辺機器の汎用インタフェースＡ５０１〜Ｆ５０６をアダプタ装置４００に接続しても、インタフェース部３１０を使用することはできない。
【００４３】
図４を参照すると、アダプタ装置４００を９０度回転させ、アダプタ装置４００とパソコン３００に内蔵されたインタフェース部３１０が接続され、使用可能となった状態を表している。図４の状態において、汎用インタフェースＡ５０１〜Ｆ５０６をアダプタ装置４００に接続することで、マウス５１０、キーボード５２０、プリンタ５３０、外付けドライブ５４０、モニタ５５０、記憶媒体５６０の使用が可能となる。
【００４４】
図５を参照すると、キーボード５２０は、汎用インタフェースＢ５０２を有している。図５は、汎用インタフェースＢ５０２をアダプタ装置４００に接続していない状態を表している。
【００４５】
図６は、汎用インタフェースＢ５０２をアダプタ装置４００に接続した状態を表している。
【００４６】
図７は、アダプタ装置４００をシリンダー錠３２０に挿入する前の状態を表している。この状態では、アダプタ装置４００とインタフェース３１０とは非接続とされている。
【００４７】
図８は、アダプタ装置４００をシリンダー錠３２０に挿入した状態を表している。この状態では、アダプタ装置４００の表面に形成された鍵によってシリンダー錠が開錠されていない。また、アダプタ装置４００の先端部の長辺方向（図８では垂直方向）と、インタフェース部３１０の収容部の長辺方向（図８では水平方向）とが異なるため、アダプタ装置４００をさらに押し込むことはできない。
【００４８】
図９は、アダプタ装置４００を９０度回転させたことで、シリンダー錠３２０が開錠された状態を表す。図９を参照すると、アダプタ装置４００の先端部の長辺方向と、インタフェース部３１０の収容口の長辺方向とが並行となっており、アダプタ装置４００をインタフェース部３１０の収容部に挿入可能な状態となっている。
【００４９】
図１０は、アダプタ装置４００をさらに押し込むことにより、アダプタ装置４００がインタフェース部３１０に接続された状態を表している。図１０に示した状態において、アダプタ装置４００に対して汎用インタフェースＡ５０１〜Ｆ５０６を接続することで、マウス５１０、キーボード５２０、…、記憶装置５６０等の周辺機器の利用が可能となる。
【００５０】
次に、本実施形態の動作フローについて、図１１を参照して詳細に説明する。
【００５１】
まず、アダプタ装置４００をシリンダー錠３２０に差し込む（ステップＢ１）。
【００５２】
アダプタ装置４００の鍵パターン４０１とパソコン３００に内蔵されたシリンダー錠３２０との組み合わせが一致した場合（ステップＢ２のＹｅｓ）、アダプタ装置４００の鍵が回転可能となる（ステップＢ３）。
【００５３】
このとき、アダプタ装置４００を９０度回転すると、アダプタ装置４００は、インタフェース部３１０に挿入可能な配置となる（図９）。この状態において、アダプタ装置４００を押し込むことで、アダプタ装置４００はインタフェース部３１０と接続される（ステップＢ４）。
【００５４】
アダプタ装置４００がインタフェース部３１０の収容部に挿入された状態（図１０）において、アダプタ装置４００を介して、周辺機器５１０〜５６０によるインタフェース部３１０の利用が可能となる（ステップＢ５）。
【００５５】
一方、アダプタ装置４００の鍵パターン４０１とパソコン３００に内蔵されたシリンダー錠３２０との組み合わせが一致しない場合（ステップＢ２のＮｏ）、シリンダー錠３２０は開錠されず、アダプタ装置４００を回転することができない（ステップＢ６）。
【００５６】
本実施形態によれば、アダプタ装置４００の鍵パターン４０１とシリンダー錠３２０の組み合わせが一致した場合、パソコン３００のインタフェース部３１０が使用可能となる。一方。アダプタ装置４００とシリンダー錠３２０の組み合わせが一致しない場合、パソコン３００のインタフェース部３１０が使用できず、外部機器を使用することができない。
【００５７】
本発明は、周辺機器を接続するためのインタフェースを備えた情報処理装置に対して、好適に適用し得る。
【００５８】
なお、上記の特許文献の開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００５９】
１００、４００    アダプタ装置
１１０、１２０    端子
１３０    鍵部
２００    情報処理装置
２１０、３１０    インタフェース部
２１２    収容部
２２０    錠前
３００    パソコン
３１２    収容部
３２０    シリンダー錠
４０１    鍵パターン
５００    汎用インタフェース
５０１〜５０６    汎用インタフェースＡ〜Ｆ
５１０    マウス
５２０    キーボード
５３０    プリンタ
５４０    外付けドライブ
５５０    モニタ
５６０    記憶装置
６００    周辺機器
【図１】
2014132387.tif 000003
【図２】
2014132387.tif 000004
【図３】
2014132387.tif 000005
【図４】
2014132387.tif 000006
【図５】
2014132387.tif 000007
【図６】
2014132387.tif 000008
【図７】
2014132387.tif 000009
【図８】
2014132387.tif 000010
【図９】
2014132387.tif 000011
【図１０】
2014132387.tif 000012
【図１１】
2014132387.tif 000013